(57)【特許請求の範囲】
【請求項１】
杼口に挿入される緯糸の切断装置であり、その緯糸切断装置は挿入レピア（５２）の移動通路に沿って配置され、
挿入レピア（５２）によって取り込まれて杼口の方向に送り出される緯糸の進行を遅らせてその緯糸を挿入レピア（５２）の糸挟持部の挟持間隙内に引き出し、かつ、その緯糸を解除するために固定挟持部（４；２２）及び調節可能な挟持部（５；２３）を含む挟持装置（１；２１）、並びに同挟持装置（１；２１）により解除された後に緯糸を切断するために切断装置（２；１３；３１）を具備することを特徴とする緯糸切断装置。
【請求項２】
調節可能な挟持部が板バネ（５）であることを特徴とする請求項１に記載の緯糸切断装置。
【請求項３】
調節可能な挟持部が、固定挟持部（２２）に対して回転可能である挟持シュー（２３）として形成されていることを特徴とする請求項１または２に記載の緯糸切断装置。
【請求項４】
挟持装置の挟持力を調節するために、調節可能な挟持部（５；２３）に連結される調節手段（６；１４；２４；４０）を具備することを特徴とする請求項１に記載の緯糸切断装置。
【請求項５】
調節手段が調節ネジ（６；４０）であることを特徴とする請求項４に記載の緯糸切断装置。
【請求項６】
調節手段がリニアモータ（１４；２４）であることを特徴とする請求項４に記載の緯糸切断装置。
【請求項７】
切断装置が固定刃（１３；３２）を含むことを特徴とする請求項１に記載の緯糸切断装置。
【請求項８】
切断装置が回転刃（１２；３３）を有することを特徴とする請求項１に記載の緯糸切断装置。
【請求項９】
切断装置が固定刃（３２）及び移動刃（３３）を有し、同移動刃（３３）は、緯糸を保持して同緯糸を固定刃（３２）の方へ置き換えるための部位（３５）を有することを特徴とする請求項１に記載の緯糸切断装置。
【請求項１０】
請求項１乃至９のいずれか１項に記載の緯糸切断装置を有することを特徴とする織機。
【発明の詳細な説明】
【０００１】
【発明の属する技術分野】
この発明は、杼口に挿入される緯糸の切断装置及びこの装置を有する織機に関するものである。
【０００２】
【従来の技術】
レピア織機において、緯糸は補給ボビンから複数の操作ユニットを介して布へと進行し、経糸により止められる。続く緯糸挿入のために、緯糸が挿入レピアに配置されて挿入レピアにより杼口内に挿入され、制御システムにより決定される時点において緯糸が切断される。公知の挿入レピアは糸挟持部を有し、糸挟持部の挟持力または挟持間隙が予め設定される。
【０００３】
【発明が解決しようとする課題】
ところが、挿入される緯糸が異なる太さを有する場合、または緯糸表面の性質が異なる場合の少なくともいずれかの場合において、緯糸は糸挟持部の挟持間隙内において異なる深さに突入する。これにより、緯糸が確実に挟持されない、即ち保持されないという結果になり、または損なわれるという結果さえも招く。緯糸は公知のレピア織機における織成サイクル内の同一時点で切断されるため、緯糸は一方では糸挟持部の挟持間隙に確実に保持されることなしに切断され、他方では細い糸が切断装置により切断される前に破断され得る。第一の場合には緯糸挿入にエラーが生じて、いわゆる損失糸が発生し、経済性に問題を残す。他の場合には挿入された緯糸は短すぎて布に飛び移って、織成エラーにつながる。
【０００４】
本発明の目的は、優れた経済性及び正確な作業性を備えた緯糸切断装置を提供することにある。
【０００５】
【課題を解決するための手段】
上記課題を解決する本発明の装置は以下の構成である。
本発明の装置は杼口に挿入される緯糸の切断装置であり、その緯糸切断装置は挿入レピアの移動通路に沿って配置される。また、その緯糸切断装置は、挿入レピアによって取り込まれて杼口の方向に送り出される緯糸の進行を遅らせてその緯糸を挿入レピアの糸挟持部の挟持間隙内に引き出し、かつ、その緯糸を解除するために固定挟持部及び調節可能な挟持部を含む挟持装置、並びに同挟持装置により解除された後に緯糸を切断するために切断装置を具備する。
【０００６】
前記装置は、調節可能な挟持部が板バネである。
前記装置は、調節可能な挟持部が、固定挟持部に対して回転可能である挟持シューとして形成されている。
【０００７】
前記装置は、挟持装置の挟持力を調節するために、調節可能な挟持部に連結される調節手段を具備する。
前記装置は、調節手段が調節ネジである。
【０００８】
前記装置は、調節手段がリニアモータである。
前記装置は、切断装置が固定刃を含む。
前記装置は、切断装置が回転刃を有する。
【０００９】
前記装置は、切断装置が固定刃及び移動刃を有し、同移動刃が、緯糸を保持して同緯糸を固定刃の方へ置き換えるための部位を有する。
本発明の織機は、前記の装置を有する。
【００１０】
本発明により得られる利点は、糸挟持部において問題のない緯糸挟持が切断前に確実にされることである。
【００１１】
【発明の実施の形態】
以下、本発明における、実施の形態を図面に従って詳述する。
図１の装置は、概ね挟持装置１及び切断装置２から成る。挟持装置１は固定挟持部４、板バネ５及び調節ネジ６を含む。固定挟持部４は切断装置２に取り付けられている。板バネ５は一方の端部が固定挟持部４と接触し、他方の端部において調節ネジ６の端部と接続されている。調節ネジ６はホルダ７に回転可能に配置され、押圧力が調節ネジ６の回転を通して変化され得る。調節ネジ６は挟持装置１の挟持力を調節する調節手段として機能する。切断装置２は、モータ１１及び円形の切断縁部を有する刃１２を具備し、刃１２はモータの軸に取り付けられている。また、緯糸を切断縁部の方向へ導くために、固定挟持部４は案内部材をも形成する。
【００１２】
図２に示すように、円形刃１２に代えて直線状の刃１３を設けることも可能である。この刃１３は例えば固定挟持部４に取り付けられ、切断装置として機能する。
【００１３】
図３の装置が図１の装置と相異する点は、押圧力を変化するためにリニアモータ１４が調節ネジ６の代わりに設けられ、リニアモータ１４が調節手段として機能することである。
【００１４】
図４及び図５に示す装置は、挟持装置２１及び切断装置２を含む。挟持装置２１は固定挟持部２２、移動可能な挟持つめ、即ち挟持シュー２３、リニアモータ２４を含む。固定挟持部２２は固定して配置されている。挟持シュー２３は固定挟持部２２に対して回転可能に配置され、機械的伝達手段２５を介してリニアモータ２４へ連結されている。
【００１５】
図６〜図８の装置は、挟持装置２１及び切断装置３１を含む。切断装置３１は固定刃３２、移動刃３３、リニアモータ３４を含む。移動刃３３は、緯糸を捕捉して固定刃３２の切断縁部の方へ置き換えるために、Ｕ字形状部３５を含む。リニアモータ３４は固定子３６、電機子３７及び２つの板バネ３８を含む。板バネ３８は電機子３７のベアリング部として機能する。電機子３７は直線運動を行う。移動刃３３は機械的伝達要素３９を介してリニアモータ３４の電機子に接続される。図８に示すように、調節ネジ４０は挟持力を調節するための調節手段として使用され得る。
【００１６】
図９は、糸挟持部を有する挿入レピア５２による緯糸挿入装置を概略的に示す。この装置は概ね、緯糸補給部５３、緯糸貯蔵部５４、糸ブレーキ５５、糸の張力を検出するセンサー５６、図示しない糸選別器（Ｆａｒｂｗａｅｈｌｅｒ）の一部としての糸供給部５７、緯糸切断装置１、制御装置５８、及び信号生成器５９を含む。信号生成器５９は、それぞれ存在する緯糸を特定する信号を発生する。
【００１７】
以下において図１及び図９に関して機能を説明する。織成サイクル中、緯糸は糸供給部５７により挿入レピア５２の通路内に置き換えられる。緯糸は挿入レピア５２の糸挟持部により取り込まれ、杼口の方向に送り出される。そして、緯糸は挟持装置１内に引き出され、工程の進行が遅らされる。この時点においてモータ１１のスイッチが入れられ、刃１２が回転する。挟持による緯糸の進行を遅らせる操作により、緯糸は挿入レピアの糸挟持部の挟持間隙内に引き出される。このように緯糸は、糸を特定して調節可能な挟持部５に依存した挿入レピアの糸挟持部に確実に保持され、その結果として、損なわれた糸及び布の誤りが都合よく回避される。このため、布を織成する際のミスが少なくなり、経済性に優れるものとなる。
【００１８】
装置は、緯糸を遅らせるために固定挟持部４及び調節可能な挟持部５を有する挟持装置と、挟持装置１により解除した後、緯糸を切断するために切断装置２を含む。
【００１９】
異なる種類の織糸の切断は、糸挟持部において問題がない緯糸挟持により確実にされる。
【００２０】
【発明の効果】
以上詳述したように、本発明の緯糸切断装置は、経済性に優れると共に、作業性においても精度が高いという優れた効果を発揮する。
【図面の簡単な説明】
【図１】  本発明における第１の実施の形態の装置を示す斜視図。
【図２】  図１の装置の変更例を示す斜視図。
【図３】  本発明における第２の実施の形態の装置を示す斜視図。
【図４】  本発明における第３の実施の形態の装置を示す斜視図。
【図５】  図４の挟持装置を拡大した斜視図。
【図６】  本発明における第４の実施の形態の装置を示す斜視図。
【図７】  図６の挟持装置及び切断装置を拡大した斜視図。
【図８】  図６の挟持装置の変更例を示す斜視図。
【図９】  挿入レピアによる緯糸挿入装置の概略図。
【符号の説明】
１，２１…挟持装置、２，１３，３１…切断装置、４，２２…固定挟持部、
５，２３…調節可能な挟持部。
【図１】
0004431640.tif 000002
【図２】
0004431640.tif 000003
【図３】
0004431640.tif 000004
【図４】
0004431640.tif 000005
【図５】
0004431640.tif 000006
【図６】
0004431640.tif 000007
【図７】
0004431640.tif 000008
【図８】
0004431640.tif 000009
【図９】
0004431640.tif 000010